(57)【要約】  レーザ光源から出射されたレーザ光を２つに分割し、分割された２つのレーザ光の一方に対して、記録情報に基づいて２次元の空間変調を施し、これを信号光として記録媒体に照射するとともに、他方を参照光として記録媒体に照射して、記録媒体に記録情報を記録し、一方、記録媒体を透過又は反射したレーザ光に基づいて記録媒体に記録された記録情報を再生するホログラム記録再生装置であり、レーザ光の照射光路上には記録処理過程において光源から出射されたレーザ光の通過を遮断する遮光手段が設けられている。該遮光手段には、少なくとも１つのスリットが形成されてなる通過領域と、該スリットが形成されていない領域に対応する遮光領域とからなるスリットパターンが形成され、これが回転駆動することにより該通過領域と該遮光領域とが交互にレーザ光の照射光路をよぎる。
2008126301.tif 000002
【特許請求の範囲】
【請求項１】
レーザ光源と、
前記レーザ光源から出射されたレーザ光を２つに分割する分割手段と、
分割された２つのレーザ光の一方に対して、記録情報に基づいて２次元の空間変調を施す空間変調手段と、
前記空間変調されたレーザ光を信号光として記録媒体に照射するとともに、前記２つのレーザ光の他方を参照光として前記記録媒体に照射して、前記記録媒体に前記記録情報を記録する光学系と、
記録処理過程において前記光源から出射されたレーザ光の通過を遮断する遮光手段と、
前記記録媒体を透過又は反射したレーザ光に基づいて前記記録媒体に記録された記録情報を再生する再生手段と、を含むホログラム記録再生装置であって、
前記遮光手段は、その主面がレーザ光の照射光路と交差する遮光体と、前記遮光体を回転駆動する回転駆動機構と、を有し、
前記遮光体は、少なくとも１つのスリットを含む通過領域と、前記スリットを含まない遮光領域とを有することを特徴とするホログラム記録再生装置。
【請求項２】
前記遮光体は、前記レーザ光源と前記分割手段の間に設けられていることを特徴とする請求項１に記載のホログラム記録再生装置。
【請求項３】
前記遮光体はディスク状であり、
前記通過領域および前記遮光領域は複数であり且つ前記遮光体の中心から放射状に交互に設けられていることを特徴とする請求項１又は２に記載のホログラム記録再生装置。
【請求項４】
前記通過領域の各々は、互いに均一形状且つ均一面積であり、等間隔に配置されていることを特徴とする請求項３に記載のホログラム記録再生装置。
【請求項５】
前記遮光領域は、互いに均一形状且つ均一面積を有する複数の第１遮光領域と、前記第１遮光領域の各々よりも広い面積を有する少なくとも１つの第２遮光領域と、からなることを特徴とする請求項３に記載のホログラム記録再生装置。
【請求項６】
前記通過領域は、互いに均一形状かつ均一面積を有する複数の第１通過領域と、前記第１通過領域とは異なる面積を有する少なくとも１つの第２通過領域と、からなることを特徴とする請求項３又は５に記載のホログラム記録再生装置。
【請求項７】
前記通過領域は、角度位置に応じて順次面積が変化していることを特徴とする請求項３又は５に記載のホログラム記録再生装置。
【請求項８】
前記通過領域および前記遮光領域の各々の形状は、前記遮光体の回転軸を中心とする扇形であることを特徴とする請求項３乃至７のいずれか１に記載のホログラム記録再生装置。
【請求項９】
前記記録媒体に対する参照光の照射角度を制御する角度制御手段を更に含み、
前記角度制御手段は、前記遮光領域がレーザ光の照射光路をよぎる時に参照光の照射角度を定めることを特徴とする請求項１乃至８のいずれか１に記載のホログラム記録再生装置。
【請求項１０】
前記信号光および前記参照光の前記記録媒体への照射位置の位置決めを行う位置決め手段を更に有し、
前記位置決め手段は、前記遮光体が１周する間に前記信号光および前記参照光の前記記録媒体への照射位置の位置決めを少なくとも１回行うことを特徴とする請求項９に記載のホログラム記録再生装置。
【請求項１１】
前記空間変調手段は、前記遮光領域がレーザ光の照射光路をよぎる時に記録情報を更新して当該更新した記録情報に基づいて空間変調処理を行うことを特徴とする請求項１乃至１０のいずれか１に記載のホログラム記録再生装置
【請求項１２】
前記信号光および前記参照光の前記記録媒体への照射位置の位置決めを行う位置決め手段を更に有し、
前記位置決め手段は、前記第２遮光領域がレーザ光の照射光路をよぎる時に前記信号光および前記参照光の前記記録媒体への照射位置の位置決めを行うことを特徴とする請求項５に記載のホログラム記録再生装置。
【請求項１３】
前記レーザ光源に供給すべき駆動電圧を制御する駆動電圧制御手段を更に有し、
前記駆動電圧制御手段は、前記遮光体の回転速度に応じて前記駆動電圧を変化させることを特徴とする請求項１乃至１２のいずれか１に記載のホログラム記録再生装置。
【請求項１４】
前記回転駆動機構はステッピングモータであることを特徴とする請求項１乃至１３のいずれか１に記載のホログラム記録再生装置。
【発明の詳細な説明】
【技術分野】
【０００１】
本発明は、ホログラム記録再生装置に関する。
【背景技術】
【０００２】
ホログラム記録再生装置は、ホログラフィック記録媒体（ＬiＮbＯ３ 等のフォトリフラクティブ結晶体）にディジタル信号を記録し、これを再生するものであり、２次元の平面ページ単位でデータを記録及び再生することができ、しかも多数のページにおいて記録及び再生が可能である。この装置の基本構成を図１に示す。【０００３】
図１において、エンコーダ２は、ホログラフィック記録媒体１に記録されるべき時系列記録データを、ページ化、すなわち所定記録領域単位としての２次元単位平面ページに対応するデータ例えば縦４８０ビット×横６４０ビットのデータ配列に並び替えて単位ページ系列データを生成する。単位ページ系列データは、空間光変調器（ＳＬＭ：Spatial Light Modulator ）３に送出される。【０００４】
ＳＬＭ３は、かかる単位ページに対応する縦４８０ピクセル×横６４０ピクセルの変調処理単位を有し、照射された信号光を、エンコーダ２からの単位ページ系列データに応じて光学変調し、これにより得られる変調されたビームをレンズ４へと導く。より詳しくは、ＳＬＭ３は、電気信号である単位ページ系列データの論理値“１”に応答して信号光を通過させ、論理値“０”に応答して信号光を遮断することにより、単位ページ系列データにおける各ビット内容に従った電気−光学変換が達成され単位ページ系列の光学信号としての変調信号光が生成される。【０００５】
かかる変調信号光は、レンズ４を介してホログラフィック記録媒体１に入力する。ホログラフィック記録媒体１は、変調信号光の他に、光学信号を担うビームの光軸に直交する所定の基準線から角度βをもって参照光が照射される。【０００６】
変調信号光と参照光とがホログラフィックメモリ媒体１に同時に入射すると、両ビームがホログラフィック記録媒体１内で干渉し、この干渉パターンがホログラフィック記録媒体１内に記録されることにより、データがホログラフィック記録媒体１内に記録されることになる。また、入射角βを変えて参照光を入力することで、２次元データを複数枚含む３次元の所定記録領域単位（以下ブックと称する）をもってホログラフィック記録媒体１に内に記録することができる。【０００７】
記録データをホログラフィック記録媒体１から再生するには、記録時とは異なり、ホログラフィック記録媒体１に対し信号光を入力せず、記録時と同じ入力角βで参照光のみを入力する。これにより、ホログラフィック記録媒体１内に記録されている干渉パターンからの回折光がレンズ５へと導かれることとなる。【０００８】
レンズ５に達したこの回折光は、ここを通過して縦４８０ピクセル×横６４０ピクセルの受光領域を有するＣＣＤ(Charge-Coupled Device )６に読取光として入射する。ＣＣＤ６の受光領域における各ピクセルは、ホログラフィック記録媒体１の記録面における各ピクセルと対応しており、ＣＣＤ６は、ピクセル毎に入射光の明暗を電気信号のレベルの大小に変換、すなわち入射光の輝度に応じたレベルを呈するアナログ電気信号を発生し読取信号としてデコーダ７に供給する。【０００９】
デコーダ７は、かかる読取信号を２値化または２値判定する機能を有し、読取信号のレベルが閾値たるスライスレベルよりも大きければ論理値“１”を、小さければ論理値“０”を認識し、この認識された値を担うディジタル信号を得るとともに、このディジタル信号に対しエンコーダ２においてなされたページ化と逆の変換を施して時系列の再生データを生成する。【００１０】
ホログラム記録再生装置においては、２次元ページを複数枚記録する多重記録を行う際、各ページの記録開始前に空間変調器（ＳＬＭ）の明暗ドットパターンの変更や記録媒体の位置決め、参照光の入射角の調整が行われる。この期間に信号光および参照光からなる可干渉性ビームを記録媒体上に照射すると、データが正しく記録されず、記録媒体の記録領域を無駄に消費してしまう。そこで、従来のホログラム記録再生装置においては、記録媒体に照射されるビームの通過／遮断の制御を行う手段としてメカニカルシャッタが用いられている。また、特許文献１に記載の装置においては、空間光変調素子の変調パターンの変更期間および記録媒体の移動期間に信号光および参照光が記録媒体に入射しないようにするために、記録レーザのＯＮ／ＯＦＦを繰り返し行い、ＯＦＦの期間において空間光変調素子の変調パターンの変更や記録媒体の移動を行っている。また、特許文献２に記載の装置においては、信号光の照射光路中に音響光学素子を設け、これにより記録媒体に照射されるビームの通過／遮断のタイミングを制御している。
【特許文献１】特開２００２−２３６４４１号公報
【特許文献２】特開２００５−２３４１４５号公報
【発明の開示】
【発明が解決しようとする課題】
【００１１】
しかしながら、ビームの通過／遮断に用いられるメカニカルシャッタは、シャッタ開閉スピードの高速化が難しく、記録速度の向上が困難であり、また、シャッタが駆動する際に振動や騒音を生じやすく、電力消費も大きいという問題点がある。また、空間的変調を行うホログラム記録装置における光源は、比較的大きいレーザパワーを必要とし、時間的変調が必要ない（空間的変調を行う）ため、使用されるレーザ光源は、高速でＯＮ／ＯＦＦ駆動するのに適していない。一方、比較的高速で露光を制御できる音響光学素子は高価であり、装置のコストアップを招来する恐れがある。【００１２】
本発明は上記した点に鑑みてなされたものであり、光源のＯＮ／ＯＦＦ制御を必要とせず、簡単かつ安価な構成であり、動作時の振動を生ずることなく記録媒体に照射される可干渉性ビームの通過／遮断を容易に制御することができるホログラム記録再生装置を提供することを目的とする。
【課題を解決するための手段】
【００１３】
本発明のホログラム記録再生装置は、レーザ光源と、前記レーザ光源から出射されたレーザ光を２つに分割する分割手段と、分割された２つのレーザ光の一方に対して、記録情報に基づいて２次元の空間変調を施す空間変調手段と、前記空間変調されたレーザ光を信号光として記録媒体に照射するとともに、前記２つのレーザ光の他方を参照光として前記記録媒体に照射して、前記記録媒体に前記記録情報を記録する光学系と、記録処理過程において前記光源から出射されたレーザ光の通過を遮断する遮光手段と、前記記録媒体を透過又は反射したレーザ光に基づいて前記記録媒体に記録された記録情報を再生する再生手段と、を含むホログラム記録再生装置であって、前記遮光手段は、その主面がレーザ光の照射光路と交差する遮光体と、前記遮光体を回転駆動する回転駆動機構と、を有し、前記遮光体は、少なくとも１つのスリットを含む通過領域と、前記スリットを含まない遮光領域とを有することを特徴としている。
【図面の簡単な説明】
【００１４】
【図１】従来のホログラム記録再生装置の基本構成を示すブロック図である。
【図２】本発明のホログラム記録再生装置の構成を示すブロック図である。
【図３】本発明の実施例であるピックアップの構成を示すブロック図である。
【図４】（ａ）〜（ｃ）は、本発明に実施例である遮光体の正面図である。
【図５】本発明の第１実施例に係るホログラム記録再生装置における記録動作を示すフローチャートである。
【図６】本発明の第２実施例に係るホログラム記録再生装置における記録動作を示すフローチャートである。
【図７】本発明の第３実施例に係るホログラム記録再生装置における記録動作を示すタイミングチャートである。
【図８】従来のメカニカルシャッタおよび本発明に係る遮光体におけるビーム束の通過／遮断動作を示す図である。
【図９】遮光体の回転駆動機構としてステッピングモータを使用した場合における遮光体の回転位置制御動作を示すタイミングチャートである。
【００１５】
【図１０】遮光体の回転駆動機構としてステッピングモータを使用した場合におけるスケジュール記録動作を示すタイミングチャートである。
【図１１】本発明の第１実施例に係るホログラム記録再生装置における他の記録動作を示すタイミングチャートである。
【図１２】（ａ）は本発明の第１実施例に係る遮光体のスリットパターン、（ｂ）は本発明に係る遮光体のスリットパターンの他の実施例を示す図である。
【図１３】他の実施例に係るスリットパターンを有する遮光体によるレーザビームの通過／遮断状態を示す図である。
【図１４】本発明に係る遮光体の変形例を示す斜視図である。
【図１５】本発明に係る遮光体の回転検出手段の他の例を示す図である。
【図１６】（ａ）および（ｂ）は、本発明に係る遮光体の回転検出手段の他の例を示す図である。
【符号の説明】
【００１６】
１  記録媒体
１０  記録再生用光源
１５  空間変調器（ＳＬＭ）
１８  可動ミラー
１９  可動ミラー
２１  撮像素子
３０  遮光体
３０ａ  遮光体
３０ｂ  遮光体
３１  遮光体モータ
３３  ロータリエンコーダ
１００  ピックアップ
１１０  光源制御回路
１２０  遮光体モータ制御回路
１３０  ＳＬＭ駆動回路
１３１  エンコーダ
１４０  ミラー制御回路
１５０  再生信号検出回路
１５１  デコーダ
２００  スピンドルモータ
２０１  スレッドモータ
２０２  照射位置制御回路
【発明を実施するための最良の形態】
【００１７】
以下、本発明の実施例について図面を参照しつつ説明する。尚、以下に示す図において、実質的に同一又は等価な構成要素、部分には同一の参照符を付している。
（実施例１）
図２は、本発明のホログラム記録再生装置の全体構成を示すブロック図、図３は、本発明のホログラム記録再生装置に搭載されるピックアップ１００の構成を示すブロック図である。以下、図２および図３を参照して本発明のホログラム記録再生装置の構成について説明する。【００１８】
ホログラフィック記録媒体１（以下、記録媒体１と称する）は、光感応性材料からなる記録層を有し、樹脂又はガラス等の基板または保護層によって挟持されている。記録層には、例えばポリマーやフォトリフラクティブ材料のニオブ酸リチウム単結晶などの光感応性材料が使用される。記録媒体１の形状は、例えばディスク状であり、スピンドルモータ２００にクランプ機構によって固定されており、スピンドルモータ２００が回転駆動することより記録媒体上の可干渉性ビームの照射位置をタンジェンシャル方向に移動することができるようになっている。スピンドルモータ２００は、スレッドモータ２０１に固定されており、スレッドモータ２０１が回転送りを行うことにより記録媒体上の可干渉性ビームの照射位置をラジアル方向にも移動することができるようになっている。尚、記録媒体１の形状は、ディスク形状に限定されず、カード状やその他の形状をとることができる。この場合、可干渉性ビームの照射位置を移動せしめる駆動機構は、記録媒体の形状に応じた位置決め制御を行う。【００１９】
ＣＰＵ３００は、装置全体の制御を司る部分であり、後述する各種制御回路に対してタイミング信号を含む制御信号を供給し、これらの動作タイミングを制御する。特に、記録媒体１にデータ記録を行う際には、回転駆動する後述の遮光体３０の回転角度位置に基づいて各種制御回路の動作タイミングを制御する。【００２０】
照射位置制御回路２０２は、ＣＰＵ３００から供給される制御信号に応じて、スピンドルモータ２００およびスレッドモータ２０１の駆動制御を行う。具体的には、記録媒体１からの再生信号に含まれるアドレス情報又はスピンドルモータ２００に設けられたロータリエンコーダ（図示せず）から供給される記録媒体１の角度位置を示すタンジェンシャル位置検出信号およびスレッドモータ２０１に設けられたポジションセンサ（図示せず）から供給される記録媒体の半径方向の位置を示すラジアル位置検出信号が照射位置制御回路２０２に供給される。照射位置制御回路２０２は、これらの検出信号およびＣＰＵ３００から供給される制御信号に基づいて可干渉性ビームの照射位置が適切なタイミングで適切な位置に位置決めされるようにスピンドル駆動信号およびスレッド駆動信号を生成し、スピンドルモータ２００およびスレッドモータ２０１を個別に駆動せしめる。これにより、可干渉性ビームの照射位置がタンジェンシャル方向およびラジアル方向において位置決めされる。可干渉性ビームの照射位置を記録媒体の任意の位置に位置決めすることにより、記録媒体１の全面に亘ってブック記録を行うことが可能となる。【００２１】
記録再生用光源１０は、例えば半導体レーザによって構成され、光源制御回路１１０より供給される光源駆動信号に応じて例えば波長４０５ｎｍの青紫色のレーザビームを出射する。光源制御回路１１０は、ＣＰＵ３００から供給される制御信号に応じて記録再生用光源１０を駆動するための光源駆動信号を生成する。具体的には、記録再生用光源１０より出射されたレーザビームのパワーをモニタするフォトディテクタ（図示せず）から出力されるレーザパワー検出信号が光源制御回路１１０に供給される。光源制御回路１１０は、このレーザパワー検出信号およびＣＰＵ３００より供給される制御信号に基づいて適正な記録／再生パワーのレーザビームを出射させるべく光源駆動信号を生成し、これを記録再生用光源１０に供給する。これにより、記録再生用光源１０は、適切なタイミングで記録再生に適したパワーのレーザビームを出射する。記録再生用光源１０から発せられたレーザビームは、コリメータレンズ１２によってレーザビーム束に成形される。【００２２】
遮光体３０は、記録再生用光源１０とビームスプリッタ１３との間に、その主面がレーザビームの照射光路をよぎるように配設される。遮光体３０は、円盤形状をなし、その主面には、複数のスリットによって画定される遮光領域および通過領域からなるスリットパターンが形成されている。遮光体３０の主面中心部には回転軸３２が接続され、回転軸３２は遮光体モータ３１に連結されている。遮光体３０は、この遮光体モータ３１によって、一定速度で回転駆動されるようになっている。遮光体３０は、回転駆動されることによって、遮光領域および通過領域が交互に記録再生用光源１０より出射されたレーザビームの光路上を横切ることとなる。これにより、記録媒体１に照射されるべき可干渉性ビームの通過および遮断がなされる。遮光体モータ３１は、例えばＤＣモータであり、遮光体モータ制御回路１２０から供給される遮光体モータ駆動信号に応じて駆動される。遮光体モータ３１には、遮光体３０の回転角度位置および回転速度を示す遮光体回転検出信号を出力するロータリエンコーダ３３が設けられている。ロータリエンコーダ３３より出力される遮光体回転検出信号は、ＣＰＵ３００に供給され、ＣＰＵ３００はこれに基づいて記録再生用光源１０から出射されたレーザビームが記録媒体１に照射されているか否かを判断し、かかる判断結果に基づいて、各制御回路に対してタイミング信号等を含む制御信号を供給する。すなわち、遮光体回転検出信号に基づいてデータ記録時の各制御回路の動作タイミングが決定される。遮光体モータ制御回路１２０は、ＣＰＵ３００より供給される制御信号に応じて遮光体３０が適正な位相および速度で回転するように遮光体モータ駆動信号を生成し、これを遮光体モータ３１に供給する。尚、遮光体３０の詳細については後述する。【００２３】
遮光体３０に形成された通過領域を通過したレーザビームはビームスプリッタ１３によって信号光と参照光とに分割される。信号光は、ビームエキスパンダ１４でビーム径が拡大され平行光となり、透過型のＴＦＴ液晶装置（ＬＣＤ）のパネル等によって構成される空間光変調器（ＳＬＭ：Ｓｐａｔｉａｌ  Ｌｉｇｈｔ  Ｍｏｄｕｌａｔｏｒ）１５に入射する。空間光変調器１５は、記録すべきデータ信号に基づいて明暗のドットパターンを形成する。より詳細には、エンコーダ１３１が１次元のディジタル信号列からなる記録データ信号を２次元データ列に変換し、当該２次元データ列にエラー訂正符号を付加して、２次元データ信号（以下、単位ページ系列データ信号と称する）を生成する。ＳＬＭ駆動回路１３０は、エンコーダ１３１より供給される単位ページ系列データ信号およびＣＰＵ３００より供給される制御信号に基づいてＳＬＭ駆動信号を生成して、適切なタイミングで空間光変調器１５を駆動する。空間光変調器１５は、例えば縦４８０ピクセル×横６４０ピクセルの変調処理単位を有し、かかるＳＬＭ駆動信号に応じて２次元の明暗ドットパターンを形成する。信号光は、空間光変調器１５を透過すると、当該明暗ドットパターンによって光変調される。すなわち、空間光変調器１５は、照射された波長４０５ｎｍの信号光をエンコーダ１３１からの単位ページ系列データに応じて、各画素（ピクセル）毎に光をオン／オフし、変調された変調信号光ビームを生成する。より詳細には、空間光変調器１５は、電気信号である単位ページ系列データの論理値“１”に応答して当該ビットに対応する画素をオンとして信号光ビームを通過させ、論理値“０”に応答して当該ビットに対応する画素をオフとして信号光ビームを遮断する。これにより、単位ページ系列データにおける各ビット内容に従った電気−光学変換が達成され、単位ページ系列の光学信号としての変調信号光ビームが生成される。かかる変調信号光は、ミラー１６で反射されフーリエ変換レンズ１７によりフーリエ変換されて、記録媒体１内の記録層に照射される。【００２４】
一方、ビームスプリッタによって分割された参照光は、可動ミラー１８および１９で反射され、記録媒体１の信号光の照射位置に所定角度で照射される。参照光は、信号光と記録媒体１の内部で交差して光干渉パターンを形成し、単位ページ系列データに対応した光干渉パターンが屈折率の変化として記録される。【００２５】
可動ミラー１８および１９は、回動自在に設けられたガルバノミラーであり、ミラー制御回路１４０によって駆動される。具体的には、可動ミラー１８、１９に設けられたポジションセンサ（図示せず）より出力される可動ミラー１８、１９の角度位置を示すミラー角度検出信号がミラー制御回路１４０に供給される。ミラー制御回路１４０は、このミラー角度検出信号およびＣＰＵ３００より供給される制御信号に基づいて、参照光が適切なタイミングで記録媒体１の信号光照射位置に所定の角度で照射されるように可動ミラー１８および１９の駆動部（図示せず）に可動ミラー駆動信号を供給し、可動ミラー１８および１９を駆動せしめる。尚、単位ページ系列データの多重記録を行う際には、記録媒体１上の所定位置において参照光の照射角度が順次変化するように可動ミラー１８および１９の駆動制御が行われる。【００２６】
一方、再生時には、例えば空間光変調器１５によって信号光を遮断して、参照光のみを記録時と同じ照射角度で記録媒体１に照射する。これにより、記録媒体１に記録されている干渉パターンを再現した再生光が現れ、この再生光が逆フーリエ変換レンズ２０に導かれることとなる。逆フーリエ変換レンズ２０は、再生光を逆フーリエ変換することにより、明暗ドットパターン像を再現する。電荷結合素子ＣＣＤ等によって構成される撮像素子２１は、再現された明暗ドットパターン像を電気的なディジタル信号に変換した撮像素子検出信号を生成し、これを再生信号検出回路１５０に供給する。再生信号検出回路１５０は、検出信号を所定のスライスレベルで「０」、「１」を判定し、記録データの再生信号を検出し、これをデコーダ１５１に供給する。デコーダ１５１は、再生信号に対して、エンコーダ１３１においてなされたページ化と逆の変換を施して時系列の再生データを生成する。【００２７】
次に本発明に係る遮光体３０について以下に詳述する。図４（ａ）は、本発明の第１実施例に係る遮光体３０の正面図である。遮光体３０は円盤形状をなしており、その主面が記録再生用光源１０より出射されたレーザビームの照射方向に対して垂直に交わるように配設される。遮光体３０の主面には、均一形状かつ均一面積で形成された複数のスリットが、その回転中心から放射状に等間隔に設けられており、このスリットの各々によって遮光領域と通過領域とが画定されている。すなわち、遮光体３０には、スリット部分に相当する複数の通過領域と、スリット間の領域に相当する複数の遮光領域と、からなるスリットパターンが形成されている。遮光領域は、互いに均一形状かつ均一面積で形成され、等間隔で設けられている。通過領域および遮光領域の形状は、例えば遮光体３０の回転軸を中心とする扇形に形成される。かかるスリットパターンが形成された遮光体３０が、遮光体モータ３１によって回転駆動されると、遮光領域と通過領域とが交互に記録再生用光源１０より出射されたレーザビームの光路上を横切ることとなる。つまり、遮光体３０は記録媒体に照射される可干渉性ビームの通過および遮断を交互に行う。遮光体３０の回転角度位置や回転速度は、ロータリエンコーダ３３によって遮光体回転検出信号として出力され、これがＣＰＵ３００に供給される。ＣＰＵ３００はこの遮光体回転検出信号に基づいて、遮光体３０の現在の回転角度位置すなわち、レーザビームの通過または遮断状態を認識し、各制御回路のタイミング制御を行う。つまり、ＣＰＵ３００は、遮光体回転検出信号に基づいて、レーザビームが遮断状態にあるか否かを判断し、遮断状態にあると判断したときに多重記録におけるページ切り替え動作、すなわち、空間変調器１５の明暗ドットパターンの変更や、参照光の照射角度の調整等を行うべく、各種制御回路にタイミング信号を含む制御信号を供給する。一方、ＣＰＵ３００は、レーザビームが通過状態にあると判断した場合には、この期間において記録動作を行うべく各種制御回路を制御する。【００２８】
次に、本実施例に係るホログラム記録再生装置の記録動作について、図５のフローチャートを参照しつつ説明する。尚、この記録動作はＣＰＵ３００の制御の下で実行される。【００２９】
ＣＰＵ３００は、まず、遮光体モータ制御回路１２０に遮光体３０の回転駆動を開始すべき制御信号を供給すると、遮光体モータ制御回路１２０は、遮光体モータ駆動信号を生成し、これを遮光体モータ３１に供給する。これにより、遮光体モータ３１が回転駆動を開始し、遮光体３０が回転し始める（ステップＳ１）。【００３０】
次に、ＣＰＵ３００は、照射位置制御回路２０２に制御信号を供給すると、照射位置制御回路２０２は、スレッド駆動信号およびスピンドル駆動信号を生成し、スピンドルモータ２００またはスレッドモータ２０１を駆動して記録媒体１上の所定の位置に可干渉性光ビームが照射されるよう記録媒体の位置決めを行う（ステップＳ２）。【００３１】
次にＣＰＵ３００は、ミラー制御回路１４０に制御信号を供給すると、ミラー制御回路１４０は、参照光の照射角度を最初のページの記録に対応させるべく可動ミラー駆動信号を生成し、可動ミラー１８および１９の位置決めを行う（ステップＳ３）。【００３２】
次にＣＰＵ３００は、ＳＬＭ駆動回路１３０に制御信号を供給すると、ＳＬＭ駆動回路１３０は、エンコーダ１３１によって生成された単位ページ系列データに応じて空間変調器１５を駆動するべくＳＬＭ駆動信号を生成し、これを空間変調器１５に供給する。これにより、空間光変調器１５は、記録すべき最初のページに対応した明暗ドットパターンを形成する（ステップＳ４）。【００３３】
次に、ＣＰＵ３００は、ロータリエンコーダ３３から供給される遮光体回転検出信号に基づいて、遮光体３０の回転速度が安定したか否かを判断する（ステップＳ５）。【００３４】
遮光体３０の回転速度が安定していない場合は、回転速度が安定するまで待機する。遮光体３０の回転速度が安定したら、ＣＰＵ３００は、遮光体３０の遮光領域がレーザビームの光路上を通過するタイミングで、光源駆動回路１１０に制御信号を供給する。光源制御回路１１０は、この制御信号に応じて光源駆動信号を生成し、記録再生用光源１０を点灯させる（ステップＳ６、Ｓ７）。【００３５】
そして、遮光体３０の通過領域が光路を横切るときに、信号光および参照光が記録媒体１に照射され、最初のページ記録がなされる。次に、ＣＰＵ３００は、ロータリエンコーダ３３からの遮光体回転検出信号に基づいて、現在可干渉性ビームが記録媒体に照射されていない遮断状態にあるか否かの判断を行い（ステップＳ８）、遮断状態にあると判断した場合には、記録媒体１に記録すべき全データの記録が終了したか否かの判断を行う（ステップＳ９）。ＣＰＵ３００は、本ステップにおいて全データの記録が完了したと判断した場合には、光源制御回路１１０および遮光体モータ制御回路１２０にそれぞれ、レーザビームの照射および遮光体３０の回転を停止させるべく制御信号を供給し（ステップＳ１４、Ｓ１５）、本記録処理ルーチンを終了させる。【００３６】
一方、ＣＰＵ３００は、ステップＳ９において、全データの記録が完了していないと判断した場合には、当該ブックに属する全てのページの記録が完了したか否かの判断を行う（ステップＳ１０）。本ステップにおいて、当該ブックに属する全てのページの記録が完了したと判断した場合には、新たなブックの記録を開始するべく、記録処理が継続される。この場合、ＣＰＵ３００は、記録媒体１上の信号光および参照光の照射位置を変更するべく記録媒体１の位置決めを行う（ステップＳ１１）。すなわち、ＣＰＵ３００は、照射位置制御回路２０２に制御信号を供給し、照射位置制御回路２０２は、これに応じてスレッド駆動信号およびスピンドル駆動信号を生成しスピンドルモータ２００またはスレッドモータ２０１を駆動せしめ、新たなブックの記録を行う位置に可干渉性ビームが照射されるように記録媒体１の位置決めを行う。【００３７】
一方、ステップＳ１１において、当該ブックに属する全てのページの記録が完了していないと判断した場合には、可干渉性ビームの照射位置の変更は行わない。つまり、この場合、現在の記録位置において新たな単位ページ系列データの記録を行うべく記録処理が継続される。この場合、ＣＰＵ３００は、ミラー制御回路１４０に制御信号を供給し、ミラー制御回路１４０はこれに応じてミラー駆動信号を生成し、参照光の照射角度を新たな単位ページ系列データの記録に対応させるべく可動ミラー１８および１９の位置決めを行う（ステップＳ１２）。【００３８】
続いて、ＣＰＵ３００は、ＳＬＭ駆動回路１３０に制御信号を供給すると、ＳＬＭ駆動回路１３０は、エンコーダ１３１によって生成された新たな単位ページ系列データに応じて空間変調器１５を駆動するべくＳＬＭ駆動信号し、これを空間変調器１５に供給する。これに伴い、空間光変調器１５は、当該新たな単位ページ系列データに対応した明暗ドットパターンを形成する（ステップＳ１３）。尚、新たにブックの記録を行う際にも、記録媒体１の位置決め処理（ステップＳ１１）が完了した後、ステップＳ１２およびステップＳ１３の処理が実行される。ステップＳ１１から１３までの処理は、遮光体３０によって可干渉性ビームが遮断状態となっている期間内に実行される。そして、遮光体３０の通過領域が光路を横切るときに、信号光および参照光が記録媒体１に照射され、新たなブック若しくは新たな単位ページ系列データの記録がなされる。ステップＳ８からＳ１３までの処理は、記録媒体に記録すべき全データの記録が完了するまで繰り返し実行される。【００３９】
このように、本発明に係るホログラム記録再生装置においては、遮光体３０の通過領域が光路を横切るタイミングで記録がなされ、遮光領域が光路を横切るタイミングでページ切り替え若しくはブック間移動の処理がなされ、これら一連の処理が繰り返し実行されることにより記録媒体に単位ページ系列データの多重記録がなされるのである。【００４０】
以上の説明から明らかなように、本発明のホログラム記録再生装置によれば、光源を高速でＯＮ／ＯＦＦ駆動させることなく、簡単な構成で、記録時の可干渉性ビームの透過／遮断のタイミングの制御が可能となる。また、メカニカルシャッタの如く直接的かつ確実な通過／遮断動作を行いつつ、動作時の振動や騒音の抑制および消費電力の低減を図ることが可能となる。また、記録速度の向上を図るべく、光源の応答速度の高速化あるいは遮光手段の駆動速度の高速化を図ると、一般的にはコストアップを伴うが、本発明によれば、遮光体のスリット幅を狭くしたり、モータの回転速度を上げるのみで、動作安定性を損なうことなく可干渉性ビームの通過／遮断動作の高速化を図ることが可能である。
（実施例２）
次に、本発明の第２実施例に係るホログラム記録再生装置について説明する。第２実施例に係るホログラム記録再生装置は、遮光体に形成されたスリットパターンが第１実施例のものとは異なる。図４（ｂ）は、第２実施例に係る遮光体３０ａの正面図である。遮光体３０ａには、第１実施例と同様、その回転中心から放射状に均一形状かつ均一面積で形成された複数のスリットが等間隔で設けられており、このスリットの各々によって遮光領域と通過領域とが画定されている。遮光体３０ａには、スリット部分に相当する通過領域と、スリット間の領域に相当する複数の遮光領域１が形成されている。遮光領域１はそれぞれ均一形状かつ均一面積で形成される。更に、遮光体３０ａには、スリット間隔が他の領域よりも広くとられている領域が１箇所設けられており、この領域が遮光領域２に相当する。つまり、遮光領域２は、遮光領域１の各々よりも広い面積を有しており、遮光体３０ａが一定速度で回転駆動されたときに、遮光領域１の各々によって、可干渉性ビームが遮断される期間よりも遮光領域２によって可干渉性ビームが遮断される期間の方が長くなる。また、通過領域、遮光領域１および遮光領域２の形状は、例えば遮光体３０の回転軸を中心とする扇形に形成される。尚、遮光体以外の他の構成部分については、上記第１実施例と同様であるので、その説明は省略する。【００４１】
このように、第２実施例に係るホログラム記録再生装置では、遮光体における遮光領域の面積を局所的に大きくし、この部分（遮光領域２）を可干渉性ビームの照射位置の再設定を伴うブック間移動を行う期間に対応させる。すなわち、ブック間移動の場合、記録媒体上の記録位置の再設定が行われるため、ページ切り替えのみを行う場合に比べ、長い遮断期間が必要とされる。遮光体にページ切り替えのための遮光領域（遮光領域１）よりも面積が大きい遮光領域（遮光領域２）を設けることによって、このブック間移動に要する期間に対応させることができる。【００４２】
次に、この第２実施例に係る遮光体３０ａを装備したホログラム記録再生装置の記録動作について図６に示すフローチャートを参照しつつ説明する。尚、この記録動作はＣＰＵ３００の制御の下で実行される。ＣＰＵ３００は、まず、遮光体モータ制御回路１２０に遮光体３０ａの回転駆動を開始すべき制御信号を供給すると、遮光体モータ制御回路１２０は遮光体モータ駆動信号を生成し、これを遮光体モータ３１に供給する。これにより、遮光体モータ３１が回転駆動を開始し、遮光体３０ａが回転し始める（ステップＳ２１）。【００４３】
次に、ＣＰＵ３００は、照射位置制御回路２０２に制御信号を供給すると、照射位置制御回路２０２は、スレッド駆動信号およびスピンドル駆動信号を生成し、スピンドルモータ２００またはスレッドモータ２０１を駆動して記録媒体上の所定の位置に可干渉性光ビームが照射されるよう記録媒体の位置決めを行う（ステップＳ２２）。【００４４】
次にＣＰＵ３００は、ミラー制御回路１４０に制御信号を供給すると、ミラー制御回路１４０は、参照光の照射角度を最初のページの記録に対応させるべく可動ミラー駆動信号を生成し、可動ミラー１８および１９の位置決めを行う（ステップＳ２３）。【００４５】
次にＣＰＵ３００は、ＳＬＭ駆動回路１３０に制御信号を供給すると、ＳＬＭ駆動回路１３０は、エンコーダ１３１によって生成された単位ページ系列データに応じて空間変調器１５を駆動するべくＳＬＭ駆動信号を生成し、これを空間変調器１５に供給する。これにより、空間光変調器１５は、記録すべき最初のページに対応した明暗ドットパターンを形成する（ステップＳ２４）。【００４６】
次に、ＣＰＵ３００は、ロータリエンコーダ３３から供給される遮光体回転検出信号に基づいて、遮光体３０ａの回転速度が安定したか否かを判断する（ステップＳ２５）。遮光体３０ａの回転速度が安定していない場合は、回転速度が安定するまで待機する。遮光体３０ａの回転速度が安定したら、ＣＰＵ３００は、遮光体３０ａの遮光領域２が可干渉性ビームの光路を通過するタイミングで、光源制御回路１１０に制御信号を供給する。光源制御回路１１０は、この制御信号に応じて光源駆動信号を生成し、記録再生用光源１０を点灯させる（ステップＳ２６、Ｓ２７）。そして、遮光体３０ａの通過領域が光路を横切るときに、信号光および参照光が記録媒体１に照射され、データの記録がなされる。【００４７】
次に、ＣＰＵ３００は、ロータリエンコーダ３３からの遮光体回転検出信号に基づいて、現在可干渉性ビームが記録媒体１に照射されていない遮断状態にあるか否かの判断を行い（ステップＳ２８）、遮断状態にあると判断した場合には、記録媒体１に記録すべき全データの記録が終了したか否かの判断を行う（ステップＳ２９）。ＣＰＵ３００は、本ステップにおいて全データの記録が完了したと判断した場合には、光源制御回路１１０および遮光体モータ制御回路１２０にそれぞれ、レーザビームの照射および遮光体３０の回転を停止させるべく制御信号を供給し、（ステップＳ３５、Ｓ３６）、本記録処理ルーチンを終了させる。【００４８】
一方、ＣＰＵ３００は、ステップＳ２９において、全データの記録が完了していないと判断した場合には、記録処理を継続させる。この場合、ＣＰＵ３００は、ミラー制御回路１４０に制御信号を供給すると、ミラー制御回路１４０は、参照光の照射角度を変更するべく駆動信号を生成し、可動ミラー１８および１９の位置決め制御を行う（ステップＳ３０）。【００４９】
続いて、ＣＰＵ３００は、ＳＬＭ駆動回路１３０に制御信号を供給すると、ＳＬＭ駆動回路１３０は、エンコーダ１３１によって生成された新たな単位ページ系列データに応じて空間変調器１５を駆動するべくＳＬＭ駆動信号し、これを空間変調器１５に供給する。これに伴い、空間光変調器１５は、当該新たな単位ページ系列データに対応した明暗ドットパターンを形成する（ステップＳ３１）。【００５０】
次にＣＰＵ３００は、ロータリエンコーダ３３からの回転検出信号に基づいて、現在遮光板３０ａの遮光領域２によって、可干渉性ビームが遮断状態にあるか否かを判断する（ステップＳ３２）。本ステップにおいて、可干渉性ビームが遮光板３０ａの遮光領域２によって遮断状態にあると判断した場合には、つまり、遮光体３０ａが１周したと判断すると、ＣＰＵ３００は、当該ブックに属する全てのページの記録が完了したものと判断し、新たなブックの記録を開始するべく照射位置制御回路２０２に制御信号を供給する。照射位置制御回路２０２は、この制御信号に応じてスレッド駆動信号およびスピンドル駆動信号を生成してスピンドルモータ２００またはスレッドモータ２０１を駆動せしめ、新たなブックの記録を行う位置に可干渉性ビームが照射されるように記録媒体１の位置決めを行う（ステップＳ３３）。この際、遮光領域２は比較的広い面積を有しているため、記録媒体１の位置決めのための時間が確保される。【００５１】
一方、ＣＰＵ３００は、可干渉性ビームが遮光板３０ａの遮光領域２ではなく遮断領域１によって遮断状態にあると判断した場合には（ステップＳ３４  Ｙｅｓ）、当該ブックの全ページの記録は未だ完了していないと判断し、可干渉性ビームの照射位置の変更は行わず、現在の記録位置において新たな単位ページ系列データの記録を行う。【００５２】
すなわち、当該ブックに属する全てのページの記録が完了すると、再び遮光体の遮光領域２による遮断が開始されるようにスリットパターンが形成されている。換言すれば、遮光体３０ａが１周すると全ページの記録すなわちブック記録が完了するようにスリットパターンが形成されているのである。ステップＳ２８からＳ３４までの処理は、記録媒体に記録すべき全データの記録が完了するまで繰り返し実行される。【００５３】
尚、上記実施例においては、遮光体の遮光領域を局所的に大きくしているが、これに加え、通過領域の大きさを局所的に変更した領域を設けてもよい。その場合、かかる通過領域においてブック記録開始時のプリ照射を行う。プリ照射とは、可干渉性ビームの照射位置の移動後に記録媒体を活性化するために行われる照射であり、ホログラム記録媒体の特性上必要な場合がある。その場合においても一連のページ記録の照射とは異なる目的で照射されるため、照射時間を変えておく必要がある。従って、通常記録時に対応する均一形状かつ均一面積で形成された複数のスリットとは異なる幅寸法を有するスリットを局所的に設けるようにするのである。【００５４】
また、本実施例においては、遮光体の１周分の通過／遮断動作を１ブック分の多重記録に対応させていたが、これに限定されず、遮光体が１周する間に２ブック分ないしそれ以上のブック記録を行うようにスリットパターンを構成することとしてもよい。例えば中心角９０℃毎に通過領域、遮光領域１、遮光流域２からなるスリットパターンセットを遮光体に４つ形成し、遮光体の１周分の通過／遮断動作を４ブック分の多重記録に対応させることとしてもよい。【００５５】
（第３実施例）
次に、本発明の第３実施例に係るホログラム記録再生装置について説明する。第３実施例に係るホログラム記録再生装置は、遮光体に形成されたスリットパターンが上記第１実施例および第２実施例のものとは異なる。図４（ｃ）は、第３実施例に係る遮光体３０ｂの正面図である。遮光体３０ｂには、上記各実施例と同様、その回転中心から放射状に複数のスリットが設けられており、このスリットの各々によって遮光領域と通過領域とが画定される。すなわち、遮光体３０ｂには、スリット部分に相当する複数の通過領域と、スリット間の領域に相当する複数の遮光領域１が形成されている。遮光領域１はそれぞれ均一形状かつ均一面積で形成される。また、遮光体３０ｂは、第２実施例に係る遮光体３０ａと同様、ブック間移動に要する期間を確保するための遮光領域１よりも広い面積を有する遮光領域２が形成されている。本実施例に係る遮光体３０ｂは、スリット部分によって形成される通過領域の各々は、上記各実施例とは異なり、遮光体３０ｂの角度位置に応じて反時計周りで順次スリット幅が広くなっている。また、通過領域、遮光領域１および遮光領域２の形状は、例えば遮光体３０の回転軸を中心とする扇形に形成される。かかるスリットパターンが形成された遮光体３０ｂが一定速度で図中の矢印方向（時計周り）で回転すると、上記各実施例同様、通過領域と遮光領域が交互にレーザビームの光路を横切ることによりレーザビームの通過および遮断を交互に行うが、本実施例においては、遮光体３０ｂに形成された上記スリットパターンによって通過期間が徐々に長くなるように通過および遮断が行われる。すなわち、遮光体３０ｂに形成された互いに異なるスリット幅のスリットパターンよって、ページ毎に可干渉性ビームの照射時間を変化させて記録を行ういわゆるスケジュール記録を行うことが可能となる。スケジュール記録とは、記録の多重度合いによってビームの照射時間を変更する記録方法であり、ホログラフィック記録媒体の特性上、多重度合いによって記録媒体の感度が異なる場合等に適用される記録方法である。スケジュール記録を行うことにより、多重記録された単位ページ系列データの各々が、ほぼ同等の回折効率を有し、再生時に安定した信号を得ることができるのである。尚、遮光体以外の他の構成部分については、上記第１および第２実施例と同様であるので、その説明は省略する。【００５６】
以下、この第３実施例に係る遮光体３０ｂを装備したホログラム記録再生装置の記録動作について図７に示すタイミングチャートを参照しつつ説明する。図７において（ａ）は遮光体モータ３１の駆動信号レベル、（ｂ）は遮光体３０ｂの回転速度、（ｃ）は遮光体による記録ビームの通過／遮断状態（ハイレベルは通過状態、ローレベルは遮断状態を示す）、（ｄ）は記録再生用光源１０の駆動信号レベル、（ｅ）は記録媒体上の可干渉性ビームの照射位置、（ｆ）は参照光の照射角度を示している。【００５７】
まず、時刻ｔ０において、遮光体モータ制御回路１２０は、遮光体モータ３１に駆動信号を供給する（図７（ａ））。これにより、遮光体３０ｂが回転を開始する。遮光体３０ｂの回転速度が安定した後（図７（ｂ））、時刻ｔ１において遮光領域２が光路上を横切るタイミングで、光源制御回路１１０は、記録再生用光源１０に光源駆動信号を供給し、光源１０を点灯させる（図７（ｃ）、（ｄ））。遮光体３０ｂが一定速度で回転駆動されることにより、可干渉性ビームの通過と遮断が交互に行われる。ここで、レーザビームの通過期間は、遮光体３０ｂに形成されたスリットパターンに起因して、徐々に長くなっている。これに対し、遮光体３０ｂに形成された遮光領域１によって遮断期間は、一定に保たれる（図７（ｃ））。遮光領域１によって可干渉性ビームが遮断状態となる期間毎に可動ミラー１８および１９の位置決めがなされ、参照光の照射角度を変化させる（図７（ｆ））。つまり、遮光体３０ｂの回転に連動するように可動ミラー１８および１９の位置決め制御がなされるのである。かかる一連の動作によって、記録媒体１には、可干渉性ビームの通過期間毎に単位ページ系列データのスケジュール多重記録がなされるのである。遮光体３０ｂが１回転すると、ブック記録が完了する。時刻ｔ２において遮光体３０ｂの遮光領域２が再び光路を横切るタイミングで、ブック間移動が行われる。すなわち、遮光領域２によって比較的長い遮光期間が確保され、この期間内にスピンドルモータ２００およびスレッドモータ２０１を駆動して、記録媒体１上への可干渉性ビームの照射位置を移動して（図７（ｅ））、新たな記録位置において多重記録を行う。尚、遮光体３０ｂの回転角度位置および回転速度は、ロータリエンコーダ３３から出力される遮光体回転検出信号によって、ＣＰＵ３００により認識され、ＣＰＵ３００はこの遮光体回転検出信号に基づいて、適切なタイミングで制御信号を各制御回路等に供給することによって各制御回路間の同期をとっている。【００５８】
このように、第３実施例に係るホログラム記録再生装置によれば、複雑な制御回路等を用いることなく、所望のスケジュール記録に対応したスリットパターンを遮光体に形成し、これを回転駆動するだけで、記録媒体にスケジュール記録を行うことが可能となる。また、この場合においても、遮光体の回転速度を高めるだけで記録速度の向上を図ることが可能である。尚、上記した実施例においては、ページ毎に露光時間を徐々に長くする場合を例に説明したが、これに限定されず、スリットパターンを適宜変更することにより、あらゆるスケジュール記録に対応させることが可能である。【００５９】
上記各実施例に係る回転駆動機構を有する遮光体をホログラム記録再生装置に適用することにより、上記各実施例において述べた効果以外にも、従来のメカニカルシャッタを使用した装置と比較した有利な効果がもたらされる。以下、その詳細について説明する。【００６０】
図８は、従来のメカニカルシャッタによるレーザビームの遮断動作と本発明に係る遮光体によるレーザビームの遮断動作とを比較した図ある。図８（ａ）は、従来の平板スライド式シャッタである。平板スライド式シャッタは、平板が左右にスライドすることにより、ビーム束の通過／遮断を行うものである。この平板スライド式のシャッタによる通過／遮断動作においては、遮断状態から、平板が例えば右方向にスライドすることにより、ビーム束の左側から露出（通過）し始める。そして、完全にビーム束が露出状態（通過状態）となった後、平板が左方向にスライドすることにより、ビーム束の右側から遮断し始める。すなわち、この一連のシャッタの開閉動作において、ビーム束の左側部分の通過時間が長く、右側部分の通過時間が短くなるのである。【００６１】
一方、図８（ｂ）は、最も一般的な従来の絞り羽根式シャッタである。このタイプシャッタによる通過／遮断動作においては、遮断状態から、絞り羽根がビーム束の外周に向かって開き始め、ビーム束の中心部分から露出（通過）し始める。そして、絞り羽根が完全に開き、ビーム束が完全に露出状態（通過状態）となった後、絞り羽根がビーム束の中心に向かって閉じることにより、ビーム束の外周部から遮断し始める。すなわち、この一連のシャッタの開閉動作において、ビーム束の中心部分の通過時間が長く、外周部分の通過時間が短くなるのである。【００６２】
このように、従来のメカニカルシャッタを使用した装置においては、１回のシャッタ開閉動作において、可干渉性光ビーム束の照射時間のむらが生じていることになる。このむらの影響は、高速記録を達成するべく単位ページあたりの照射時間が短くなればなるほど大きくなる。このむらを抑えるためには、記録の高速化とは別の理由でシャッタスピードを高くするなどのデバイスの更なる高速化が求められ、コストの増大が生じるという欠点がある。【００６３】
一方、本実施例においては、回転駆動機構を有する遮光体を使用することにより上記問題を解消している。図８（ｃ）は、本発明に係る遮光体によるビーム束の遮断動作を示している。この回転駆動機構を有する遮光体によれば、遮光領域によって完全にビーム束が遮断された状態から、遮光体３０が図中矢印方向に回転駆動されることにより、ビーム束の上側から露出（通過）し始める。そして、通過領域が光路上を横切ることにより、ビーム束が完全に露出状態（通過状態）となった後、次の遮光領域がビーム束の上側から遮断し始める。すなわち、この遮光体の回転動作によって、ビーム束は照射時間のむらを生じることなく記録媒体に照射され、上記問題が解消されるのである。これにより、高速記録の際、記録データ空間内の照射量のコントロールが行いやすいという効果が得られる。【００６４】
また、上記各実施例において示した本発明に係るホログラム記録再生装置の構成は、上記したものに限定されず種々の変更を施すことが可能である。以下、本発明に係るホログラム記録再生装置の変形例を示す。
（変形例１）
上記各実施例においては、遮光体の回転駆動機構としてＤＣモータを用いることとしたが、これに換えてステッピングモータを使用することとしてもよい。ステッピングモータを用いることにより、記録時の可干渉性ビームの通過／遮断制御をモータ駆動パルスによって行うことが可能となる。図９は、遮光体の回転駆動機構としてステッピングモータを使用したときの遮光体による記録ビームの通過／遮断動作を示すタイミングチャートである。図９において、（ａ）は、ステッピングモータの駆動パルス、（ｂ）は遮光体の回転角度、（ｃ）は遮光体による記録ビームの通過／遮断状態（ハイレベルは通過状態、ローレベルは遮断状態を示す）を示している。【００６５】
遮光体には、ステッピングモータの１パルス分の回転角度に対応したスリットパターンが形成されている。すなわち、ステッピングモータに駆動パルスが供給される度に、遮光体が所定角度回転し、これにより通過状態と遮断状態とが交互に切り替わるようにスリットパターンが形成されている。尚、ＣＰＵ３００は、このモータ駆動パルスと、他の駆動信号（光源駆動信号、ミラー駆動信号、ＳＬＭ駆動信号等）とのタイミングを調整し、記録媒体に多重記録を行う。【００６６】
また、遮光体の回転駆動機構としてステッピングモータを用いることにより、第１実施例に係る図４（ａ）に示す均一形状のスリットが等間隔で配置されてなるスリットパターンを有する遮光体３０を使用してスケジュール記録を行うことも可能である。図１０は、ステッピングモータおよび遮光体３０を使用してスケジュール記録を行う際のタイミングチャートである。図１０において、（ａ）はステッピングモータの駆動パルス、（ｂ）は遮光体３０の回転角度、（ｃ）は遮光体による記録ビームの通過／遮断状態（ハイレベルは通過状態、ローレベルは遮断状態を示す）、（ｄ）は記録再生用光源１０の駆動信号レベル、（ｅ）は記録媒体上の可干渉性ビームの照射位置、（ｆ）は参照光の照射角度を示している。【００６７】
まず、時刻ｔ０において、光源制御回路１１０は記録再生用光源１０に駆動信号を供給し、光源１０を点灯させる（図１０（ｄ））。尚、このとき遮光体３０によって可干渉性ビームの光路は遮断状態となっている。次に時刻ｔ１において、遮光体モータ制御回路１２０は、ステッピングモータに駆動パルスを供給する。これに伴って遮光体３０が回転駆動を開始する。遮光体モータ制御回路１２０は、遮光体３０の回転角度が増すにつれて可干渉性ビームの照射時間が徐々に長くなるようにプログラミングされた駆動パルスを遮光体モータ３１に供給する（図１０（ａ）、（ｂ）、（ｃ））。遮光体３０はこの駆動パルスに応じて、回転速度を徐々に減速させながら回転駆動することとなる。次に時刻ｔ２において、遮光体３０が１周し、ブック記録が完了すると、記録媒体上の可干渉性ビームの照射位置を移動させ、新たなブック記録を開始する。尚、照射位置の移動の際には、ステッピングモータに駆動パルスは供給されず遮断状態を保ちビームの照射位置を移動させるために必要な期間が確保される。【００６８】
このように、遮光体３０の回転駆動機構としてステッピングモータを使用することにより、均一形状のスリットが等間隔で配置されてなる単純なスリットパターンが形成された遮光体を用いて、所望のスケジュール記録を行うことが可能となる。また、この場合、ＤＣモータを用いる場合と比較して、回転が安定するまでの待ち時間が削減されるという効果が得られる。また、このようにステップ状の回転駆動を行っても、回転機構を用いているため、従来のメカニカルシャッタに比較して振動や騒音は抑えられ、消費電力も抑えることが可能である。
（変形例２）
次に、本発明の第１実施例に係るホログラム記録再生装置における他の記録方法について図１１に示すタイミングチャートを参照しつつ説明する。本実施例に係る記録方法においては、記録動作時に記録再生用光源１０から出射されるレーザビームのパワーコントロールを行う。【００６９】
図１１において、（ａ）は遮光体の回転速度、（ｂ）は遮光体による記録ビームの通過／遮断状態（ハイレベルは通過状態、ローレベルは遮断状態を示す）、（ｃ）は記録再生用光源１０の駆動信号レベルを示している。まず、時刻ｔ０において、遮光体モータ制御回路１２０は、遮光体モータ３１に遮光体モータ駆動信号を供給する。これにより、遮光体３０が回転を開始する。遮光体３０は、徐々にその回転速度を上げ、所定の回転速度に到達する（図１１（ａ））。これに伴い、可干渉性ビームの通過／遮断の周期は、遮光体３０の回転開始直後では長くなっており、遮光体３０の回転速度が上昇するとともに徐々に短くなる。つまり、遮光体３０の回転開始直後においては、記録媒体１には可干渉性ビームが長時間照射されることとなる。可干渉性ビームが所定期間よりも長く照射されると、記録媒体に正しくデータの記録を行うことができない恐れがあるため、上記第１実施例においては、遮光体３０の回転後、その回転速度が安定するのを待って、レーザ光の点灯を行うように制御がなされていた（図５  ステップＳ５等）。一方、本実施例においては、遮光体３０の回転開始直後であって、かつ遮光体３０によって可干渉性ビームが記録媒体１に照射されない遮断状態となるタイミングで記録再生用光源１０に光源駆動信号の供給を開始する。更に遮光体３０の回転速度が上昇過程にある過渡区間においては、遮光体３０の回転速度の上昇に合わせて徐々に光源駆動信号レベルを上昇させる（図１１（ｃ））。記録再生用光源１０は、かかる駆動信号に応じて、点灯開始時においては、低いパワーのレーザ光を出射し、徐々にそのパワーを増大していく。すなわち，上記過渡区間において、遮光体３０の回転速度が低く、可干渉性ビームの照射時間が長いときには低いパワーで記録を行い、遮光体３０の回転速度が上昇しビームの照射時間が短くなっていくのに合わせて記録パワーを上げていくのである。尚、遮光体３０の回転速度は、ロータリエンコーダ３３から遮光体回転検出信号として出力され、ＣＰＵ３００によって認識される。ＣＰＵ３００は遮光体回転検出信号に基づいて遮光体の回転速度に応じたパワーのレーザビームを出射させるべく制御信号を光源制御回路１１０に供給する。一方、光源１０より出射されるレーザビームのパワーは、フォトディテクタ（図示せず）からレーザパワー検出信号として出力される。光源制御回路１１０は、ＣＰＵ３００から供給される制御信号およびフォトディテクタより供給されるレーザパワー検出信号に基づいて、遮光体３０の回転速度に応じたパワーのレーザビームを出射するように記録再生用光源１０に光源駆動信号を供給する。これにより、光源１０からは、遮光体３０の回転速度に応じた適切な記録パワーのレーザビームが出射されることとなる。【００７０】
このように本実施例に係る記録方法によれば、記録再生用光源１０から出射されるビームのパワーを制御することによって、それぞれの単位ページの記録中に適正な照射エネルギーを与えることができるため、遮光体３０の回転速度が安定する前に記録を開始させることができる。従って、遮光体３０の回転が安定するまでの記録の待ち時間を解消することが可能となる。更に、本実施例に係る記録方法によれば、光源をスロースタートさせるので、光源の駆動開始時の負担が軽減され、光源の長寿命化を図るという効果も得られる。
（変形例３）
上記各実施例においては、遮光体に形成された通過領域および遮光領域の形状は、いずれも遮光体３０の回転軸を中心とする扇形に形成されていた。遮光体のスリットパターンをこのような形状で形成することにより、図１２（ａ）に示すようにビームの照射位置が遮光体の半径方向にずれた場合でも、レーザビームの通過／遮断のデューティは、一定に保つことができる。【００７１】
一方、通過領域および遮光領域の形状を遮光体３０の回転軸を中心とする扇形でない形状とした場合は、ビームの照射位置を遮光体の半径方向にずらすことによってレーザビームの通過／遮断のデューティの調整が可能となる。例えば、遮光体のスリットパターンを図１２（ｂ）に示す如く、通過領域の形状を遮光体の内周側から外周側に向けて幅広となる扇形に形成し、遮断領域の形状を遮光体の内周側から外周側に向けて幅狭となる扇形に形成することとしてもよい。図１３は、図１２（ｂ）に示すスリットパターンが形成された遮光体３０´の半径方向の互いに異なる位置にビームを照射したときのビームの通過／遮断状態（ハイレベルは通過状態、ローレベルは遮断状態を示す）をビームの照射位置毎に示したものである。図１３に示す如く遮光体３０´の外周側（ビーム位置１）にビームが照射されたときのビームの通過／遮断状態は、通過期間が遮断期間よりも長くなる。一方、遮光体３０´の内周側（ビーム位置３）にビームが照射されたときのビームの通過／遮断状態は、遮断期間が通過期間よりも長くなる。また、これらの中間位置（ビーム位置２）にビームが照射されたときのビームの通過／遮断状態は、遮断期間と通過期間がほぼ同一となる。このように、図１２（ｂ）に示す如きスリットパターンを遮光体に形成し、ビームの照射位置を遮光体の半径方向に移動させることにより、遮光体を交換することなく記録ビームの通過／遮断のデューティ比を微調整することが可能となる。この場合、例えば、記録媒体に記録可能なビームの最低照射時間と、可動ミラーの位置決め等に要する時間の割合からビームの照射位置を調整すればよい。
（変形例４）
また、上記第３実施例においては、遮光体の通過領域の幅を遮光体の角度位置に応じて異ならせることにより、ビームの照射時間をページ毎に変更することによりスケジュール記録を行うこととしていたが、通過領域の各々の幅を均一とし、遮光体の通過領域の各々に互いに透過率の異なる光透過性の材料を設けることによりスケジュール記録を行うこととしてもよい。これにより、上記した第３実施例同様、スケジュール記録に対応した複雑な光源の駆動制御を行うことなく、ページ毎に強度の異なる記録ビームを記録媒体に照射することができ、スケジュール記録に対応させることができる。
（変形例５）
また、上記各実施例においては、遮光体は円盤形状である場合を例に説明したが、これに限定されない。図１４（ａ）および（ｂ）に遮光体の変形例を示す。同図に示す如く遮光体は、円筒体の側面に複数のスリットが形成されている形態であってもよい。該円筒体の底面には、回転軸を介して遮光体モータに連結され回転駆動される。記録再生用光源は、該円筒体内部に配設される。尚、この際、円筒体の回転駆動に伴って回転しないように静止面に固定される。かかる形態の遮光体においても遮光体の回転駆動によって、レーザビームの通過／遮断が交互になされ、上記各実施例に示した遮光体と同様の効果を得ることができる。
（変形例６）
また、上記各実施例においては、遮光体の回転検出をロータリエンコーダ３３で行うこととしたが、これに限定されない。図１５および図１６に遮光体の回転検出手段として適用し得る他の構成を示す。遮光体の回転検出は図１５に示す如く、対向配置された一対の発光素子と受光素子からなるフォトインタラプタ３４を用いることとしてもよい。フォトインタラプタ３４は、遮光体に形成された通過領域と遮光領域とが発光素子と受光素子の間を交互に通過することにより、遮光体の回転を光学的に検出し、これを計数することにより、遮光体の回転角度位置および回転速度を検出し、遮光体回転検出信号としてＣＰＵ３００に供給する。【００７２】
また、図１６（ａ）および（ｂ）に示すように、遮光体の遮光領域のエッジに反射面ａを設け、遮光体の回転駆動に伴ってこの反射面ａが記録再生用光源１０から出射されたレーザビームの照射光路をよぎる際に、レーザビームを反射面ａで反射させ、その反射光をフォトディテクタ３５で検出することにより、遮光体の回転検出を行うこととしてもよい。フォトディテクタ３５は、レーザビームが遮断状態から通過状態に切り替わるタイミングで反射光を受光して、遮光体回転検出信号としてＣＰＵ３００に供給する。【００７３】
また、上記各実施例においては、参照光の照射角度を変化させて多重記録を行う角度多重方式を採用する記録再生装置について説明したが、これに限定されず、信号光と参照光の照射角度を一定に保ち、記録媒体を２次元的に移動してページ毎の記録領域を重ねて記録するシフト多重方式を採用する記録再生装置にも適用可能である。
【図１】
2008126301.tif 000003
【図２】
2008126301.tif 000004
【図３】
2008126301.tif 000005
【図４】
2008126301.tif 000006
【図５】
2008126301.tif 000007
【図６】
2008126301.tif 000008
【図７】
2008126301.tif 000009
【図８】
2008126301.tif 000010
【図９】
2008126301.tif 000011
【図１０】
2008126301.tif 000012
【図１１】
2008126301.tif 000013
【図１２】
2008126301.tif 000014
【図１３】
2008126301.tif 000015
【図１４】
2008126301.tif 000016
【図１５】
2008126301.tif 000017
【図１６】
2008126301.tif 000018
【手続補正書】
【提出日】平成20年5月9日(2008.5.9)
【手続補正１】
【補正対象書類名】特許請求の範囲
【補正対象項目名】全文
【補正方法】変更
【補正の内容】
【特許請求の範囲】
【請求項１】
レーザ光源と、
前記レーザ光源から出射されたレーザ光を２つに分割する分割手段と、
分割された２つのレーザ光の一方に対して、記録情報に基づいて２次元の空間変調を施す空間変調手段と、
前記空間変調されたレーザ光を信号光として記録媒体に照射するとともに、前記２つのレーザ光の他方を参照光として前記記録媒体に照射して、前記記録媒体に前記記録情報を記録する光学系と、
記録処理過程において前記光源から出射されたレーザ光の通過を遮断する遮光手段と、
前記記録媒体を透過又は反射したレーザ光に基づいて前記記録媒体に記録された記録情報を再生する再生手段と、を含むホログラム記録再生装置であって、
前記遮光手段は、その主面がレーザ光の照射光路と交差する遮光体と、前記遮光体を回転駆動する回転駆動機構と、を有し、
前記遮光体は、少なくとも１つのスリットを含む通過領域と、前記スリットを含まない遮光領域とを有し、記録処理過程において前記光源から出射されたレーザ光の通過／遮断を交互に行うことを特徴とするホログラム記録再生装置。
【請求項２】
前記遮光体は、前記レーザ光源と前記分割手段の間に設けられていることを特徴とする請求項１に記載のホログラム記録再生装置。
【請求項３】
前記遮光体はディスク状であり、
前記通過領域および前記遮光領域は複数であり且つ前記遮光体の中心から放射状に交互に設けられていることを特徴とする請求項１又は２に記載のホログラム記録再生装置。
【請求項４】
前記通過領域の各々は、互いに均一形状且つ均一面積であり、等間隔に配置されていることを特徴とする請求項３に記載のホログラム記録再生装置。
【請求項５】
前記遮光領域は、互いに均一形状且つ均一面積を有する複数の第１遮光領域と、前記第１遮光領域の各々よりも広い面積を有する少なくとも１つの第２遮光領域と、からなることを特徴とする請求項３に記載のホログラム記録再生装置。
【請求項６】
前記通過領域は、互いに均一形状かつ均一面積を有する複数の第１通過領域と、前記第１通過領域とは異なる面積を有する少なくとも１つの第２通過領域と、からなることを特徴とする請求項３又は５に記載のホログラム記録再生装置。
【請求項７】
前記通過領域は、角度位置に応じて順次面積が変化していることを特徴とする請求項３又は５に記載のホログラム記録再生装置。
【請求項８】
前記通過領域および前記遮光領域の各々の形状は、前記遮光体の回転軸を中心とする扇形であることを特徴とする請求項３乃至７のいずれか１に記載のホログラム記録再生装置。
【請求項９】
前記記録媒体に対する参照光の照射角度を制御する角度制御手段を更に含み、
前記角度制御手段は、前記遮光領域がレーザ光の照射光路をよぎる時に参照光の照射角度を定めることを特徴とする請求項１乃至８のいずれか１に記載のホログラム記録再生装置。
【請求項１０】
前記信号光および前記参照光の前記記録媒体への照射位置の位置決めを行う位置決め手段を更に有し、
前記位置決め手段は、前記遮光体が１周する間に前記信号光および前記参照光の前記記録媒体への照射位置の位置決めを少なくとも１回行うことを特徴とする請求項９に記載のホログラム記録再生装置。
【請求項１１】
前記空間変調手段は、前記遮光領域がレーザ光の照射光路をよぎる時に記録情報を更新して当該更新した記録情報に基づいて空間変調処理を行うことを特徴とする請求項１乃至１０のいずれか１に記載のホログラム記録再生装置
【請求項１２】
前記信号光および前記参照光の前記記録媒体への照射位置の位置決めを行う位置決め手段を更に有し、
前記位置決め手段は、前記第２遮光領域がレーザ光の照射光路をよぎる時に前記信号光および前記参照光の前記記録媒体への照射位置の位置決めを行うことを特徴とする請求項５に記載のホログラム記録再生装置。
【請求項１３】
前記レーザ光源に供給すべき駆動電圧を制御する駆動電圧制御手段を更に有し、
前記駆動電圧制御手段は、前記遮光体の回転速度に応じて前記駆動電圧を変化させることを特徴とする請求項１乃至１２のいずれか１に記載のホログラム記録再生装置。
【請求項１４】
前記回転駆動機構はステッピングモータであることを特徴とする請求項１乃至１３のいずれか１に記載のホログラム記録再生装置。
【請求項１５】
前記回転駆動機構は、記録処理過程において前記遮光体を回転駆動することを特徴とする請求項１に記載のホログラム記録再生装置。
【手続補正２】
【補正対象書類名】明細書
【補正対象項目名】０００４
【補正方法】変更
【補正の内容】
【０００４】
、前記遮光体を回転駆動する回転駆動機構と、を有し、前記遮光体は、少なくとも１つのスリットを含む通過領域と、前記スリットを含まない遮光領域とを有し、記録処理過程において前記光源から出射されたレーザ光の通過／遮断を交互に行うことを特徴としている。
図面の簡単な説明
［００１４］
［図１］従来のホログラム記録再生装置の基本構成を示すブロック図である。
［図２］本発明のホログラム記録再生装置の構成を示すブロック図である。
［図３］本発明の実施例であるピックアップの構成を示すブロック図である。
［図４］（ａ）〜（ｃ）は、本発明に実施例である遮光体の正面図である。
［図５］本発明の第１実施例に係るホログラム記録再生装置における記録動作を示すフローチャートである。
［図６］本発明の第２実施例に係るホログラム記録再生装置における記録動作を示すフローチャートである。
［図７］本発明の第３実施例に係るホログラム記録再生装置における記録動作を示すタイミングチャートである。
［図８］従来のメカニカルシャッタおよび本発明に係る遮光体におけるビーム束の通過／遮断動作を示す図である。
［図９］遮光体の回転駆動機構としてステッピングモータを使用した場合における遮光体の回転位置制御動作を示すタイミングチャートである。
［００１５］
［図１０］遮光体の回転駆動機構としてステッピングモータを使用した場合におけるスケジュール記録動作を示すタイミングチャートである。
［図１１］本発明の第１実施例に係るホログラム記録再生装置における他の記録動作を示すタイミングチャートである。
［図１２］（ａ）は本発明の第１実施例に係る遮光体のスリットパターン、（ｂ）は本発明に係る遮光体のスリットパターンの他の実施例を示す図である。
［図１３］他の実施例に係るスリットパターンを有する遮光体によるレーザビームの通過／遮断状態を示す図である。
［図１４］本発明に係る遮光体の変形例を示す斜視図である。
【国際調査報告】
2008126301.tif 000019
2008126301.tif 000020